(57)【要約】【課題】  平面性を維持して蛍光体シート封止体を平板に貼合することが出来、平板のサイズに合わせて保持手段を用意することなく、サイズ変更が容易に出来る蛍光体シート封止体と平板との貼合装置及び貼合方法の提供。【解決手段】  蛍光体シート封止体を載置する載置台と、前記載置台の載置面と対向する面に平板を保持する第１枠体と、該第１枠体を配設した第２枠体と、前記第１枠体に保持されている該平板の押さえ手段とを有する蛍光体シート封止体の前記平板への貼合装置において、該第１枠体は、前記平板の寸法に対応して設置位置が変更可能な保持部材を有し、前記第２枠体は、該載置面上の蛍光体シート封止体に対して、平板を平行状態を保持したまま接触／離反する方向に移動する移動手段を有し、前記蛍光体シート封止体と前記平板とを貼合することを特徴とする貼合装置。【選択図】        図１
2005164518.tif 000002
【特許請求の範囲】
【請求項１】
蛍光体シート封止体を載置する載置台と、
該載置台と対向し且つ、平行な位置に配設され、前記載置台の蛍光体シート封止体載置面と対向する面に平板を保持する保持手段を有する第１枠体と、
該第１枠体を配設した第２枠体と、
前記第１枠体に保持されている該平板の押さえ手段とを有する該蛍光体シート封止体の前記平板への貼合装置において、
該蛍光体シート封止体載置面は前記蛍光体シート封止体の位置決め手段と、平面保持手段とを有し、
前記第１枠体は、前記平板を保持する角部を形成する２つの縁辺部の基準縁辺部と、前記平板の寸法に対応して設置位置が変更可能で、該基準縁辺部に前記平板を押し付け保持する保持部材とを有する２つの縁辺部とを有し、
前記第２枠体は、前記蛍光体シート封止体載置面上の前記蛍光体シート封止体に対して、前記第１枠体に保持されている前記平板の平行状態を保持したまま接触／離反する方向に移動する移動手段を有し、
該移動手段により前記第２枠体を前記蛍光体シート封止体載置面方向に移動し、前記蛍光体シート封止体と前記平板とを貼合することを特徴とする貼合装置。
【請求項２】
前記平面保持手段が、蛍光体シート封止体載置面に設けられた吸引孔であることを特徴とする請求項１に記載の貼合装置。
【請求項３】
前記第１枠体は、矩形の枠体からなり、それぞれの対向する２つの縁辺部に保持部材の位置を変更し固定する固定手段を配設したガイド溝を有することを特徴とする請求項１又は２に記載の貼合装置。
【請求項４】
前記保持部材は、両端に第１枠体に固定する固定手段と、該第１枠体の基準縁辺部に平板を押し付ける押し付け手段とを有することを特徴とする請求項１〜３の何れか１項に記載の貼合装置。
【請求項５】
前記押さえ手段は、第２枠体に開閉自在に取り付けられていることを特徴とする請求項１〜４の何れか１項に記載の貼合装置。
【請求項６】
請求項１〜５の何れか１項に記載の貼合装置を使用して平板と蛍光体シート封止体とを貼合することを特徴とする平板と蛍光体シート封止体との貼合方法。
【発明の詳細な説明】
【技術分野】
【０００１】
本発明は、蛍光体シート封止体を平板に貼り付ける貼合装置及び貼合方法に関する。
【背景技術】
【０００２】
Ｘ線画像のような放射線画像は病気診断用などに多く用いられている。このＸ線画像を得るために被写体を通過したＸ線を蛍光体層（蛍光スクリーン）に照射し、これにより可視光を生じさせてこの可視光を通常の写真をとるときと同じように銀塩を使用したフイルムに照射して現像した、いわゆる放射線写真が利用されている。しかし近年銀塩を塗布したフィルムを使用しないで蛍光体層から直接画像を取り出す方法が工夫されるようになった。
【０００３】
この方法としては被写体を透過した放射線を蛍光体に吸収せしめ、しかる後この蛍光体を例えば光又は熱エネルギーで励起することによりこの蛍光体が上記吸収により蓄積している放射線エネルギーを蛍光として放射せしめ、この蛍光を検出し画像化する方法がある。
【０００４】
具体的には、例えば米国特許３，８５９，５２７号及び特開昭５５−１２１４４号公報などに記載されているような輝尽性蛍光体を用いる放射線画像変換方法が知られている。この方法は、例えばフィルム上に輝尽性蛍光体層を形成した蛍光体シートを平板に固定した状態（蛍光体パネル）で使用するもので、この蛍光体シートの輝尽性蛍光体層に被写体を透過した放射線を当てて被写体各部の放射線透過密度に対応する放射線エネルギーを蓄積させて、その後に輝尽性蛍光体を可視光線、赤外線などの電磁波（励起光）で時系列的に励起することにより、該輝尽性蛍光体中に蓄積されている放射線エネルギーを輝尽発光として放出させ、この光の強弱による信号をたとえば光電変換し、電気信号を得て、この信号を感光フィルムなどの記録材料、ＣＲＴなどの表示装置上に可視像として再生するものである。
【０００５】
この放射線像記録再生方法によれば、従来の放射線写真フィルムと増感紙との組合せを用いる放射線写真法による場合に比較して、はるかに少ない被曝線量で情報量の豊富な放射線画像を得ることができるという利点がある。
【０００６】
このような輝尽性蛍光体は、放射線を照射した後、励起光を照射すると輝尽発光を示す蛍光体であるが、実用上では、波長が４００〜９００ｎｍの範囲にある励起光によって３００〜５００ｎｍの波長範囲の輝尽発光を示す蛍光体が一般的に利用される。
【０００７】
輝尽性蛍光体層がフィルム上に形成された蛍光体シートの場合、ハンドリングを容易にするために、蛍光体シートは、防湿性の高いフィルムで封止された状態で剛性のある平板上に貼り付けて、使用されている。蛍光体シートを平板に貼合する際、以下の様な問題点がある。
【０００８】
１）蛍光体シート封止体を平板上の決められた位置に貼合する際、平板上の予め用意された接着剤と蛍光体シート封止体が接触すると、蛍光体シート封止体及び平板の一部が接着されるので、位置決め後の補正が困難で、精度良く位置決めできない。
【０００９】
２）蛍光体シート封止体と平板との間に気泡が入りやすく、貼り合わせ後の平面性が確保できない。平面性が確保できないと、発光ムラが発生し、得られる放射線画像にムラが発生する。
【００１０】
この様な問題点に対して、例えばフィルム基材上に輝尽性蛍光体層を有する蛍光体シート封止体を平板に貼合し、蛍光体パネルを作製するとき、蛍光体シート封止体の平面を保持して位置を決め、蛍光体シート封止体の位置に合わせて保持手段に保持されている、予め接着剤が設けられている平板を機械的に接触させることで精度良く、且つ平面性を維持して蛍光体シート封止体を平板に貼合する方法と貼合装置が知られている（例えば、特許文献１を参照。）。
【００１１】
しかしながら、特許文献１に記載の貼合装置を使用して、蛍光体シート封止体を平板に貼合する際、次の様な問題点が挙げられる。１）平板の大きさに合わせて平板の保持手段を交換しなければならないため、サイズ変更に手間と時間が掛かり稼働率が低下する。２）サイズに合わせて保持手段を用意しなければならないため、保持手段の維持管理に余分な費用が掛かる。
【００１２】
これらの状況から、平面性を維持して蛍光体シート封止体を平板に貼合することが出来、平板のサイズに合わせて保持手段を用意することなく、サイズ変更が容易に出来る工程稼働率が上がる蛍光体シート封止体と平板との貼合装置及び貼合方法の開発が望まれている。
【特許文献１】特開平１１−２９５８２８号公報
【発明の開示】
【発明が解決しようとする課題】
【００１３】
本発明は、上記状況に鑑みなされたものであり、その目的は平面性を維持して蛍光体シート封止体を平板に貼合することが出来、平板のサイズに合わせて保持手段を用意することなく、サイズ変更が容易に出来る蛍光体シート封止体と平板との貼合装置及び貼合方法を提供することである。
【課題を解決するための手段】
【００１４】
本発明の上記目的は、以下の構成により達成された。
（請求項１）
蛍光体シート封止体を載置する載置台と、
該載置台と対向し且つ、平行な位置に配設され、前記載置台の蛍光体シート封止体載置面と対向する面に平板を保持する保持手段を有する第１枠体と、
該第１枠体を配設した第２枠体と、
前記第１枠体に保持されている該平板の押さえ手段とを有する該蛍光体シート封止体の前記平板への貼合装置において、
該蛍光体シート封止体載置面は前記蛍光体シート封止体の位置決め手段と、平面保持手段とを有し、
前記第１枠体は、前記平板を保持する角部を形成する２つの縁辺部の基準縁辺部と、前記平板の寸法に対応して設置位置が変更可能で、該基準縁辺部に前記平板を押し付け保持する保持部材とを有する２つの縁辺部とを有し、
前記第２枠体は、前記蛍光体シート封止体載置面上の前記蛍光体シート封止体に対して、前記第１枠体に保持されている前記平板の平行状態を保持したまま接触／離反する方向に移動する移動手段を有し、
該移動手段により前記第２枠体を前記蛍光体シート封止体載置面方向に移動し、前記蛍光体シート封止体と前記平板とを貼合することを特徴とする貼合装置。
（請求項２）
前記平面保持手段が、蛍光体シート封止体載置面に設けられた吸引孔であることを特徴とする請求項１に記載の貼合装置。
（請求項３）
前記第１枠体は、矩形の枠体からなり、それぞれの対向する２つの縁辺部に保持部材の位置を変更し固定する固定手段を配設したガイド溝を有することを特徴とする請求項１又は２に記載の貼合装置。
（請求項４）
前記保持部材は、両端に第１枠体に固定する固定手段と、該第１枠体の基準縁辺部に平板を押し付ける押し付け手段とを有することを特徴とする請求項１〜３の何れか１項に記載の貼合装置。
（請求項５）
前記押さえ手段は、第２枠体に開閉自在に取り付けられていることを特徴とする請求項１〜４の何れか１項に記載の貼合装置。
（請求項６）
請求項１〜５の何れか１項に記載の貼合装置を使用して平板と蛍光体シート封止体とを貼合することを特徴とする平板と蛍光体シート封止体との貼合方法。
【発明の効果】
【００１５】
平面性を維持して蛍光体シート封止体を平板に貼合することが出来、平板のサイズに合わせて保持手段を用意することなく、サイズ変更が容易に出来る蛍光体シート封止体と平板との貼合装置及び貼合方法を提供することが出来、工程稼働率の向上と平板の保持手段の維持管理が容易になった。
【発明を実施するための最良の形態】
【００１６】
本発明に係る実施の形態を図１〜図１１を参照して説明するが、本発明はこれに限定されるものではない。
【００１７】
図１は蛍光体パネルの概略分解斜視図である。
【００１８】
図中、１は蛍光体パネルを示す。蛍光体パネル１は平板１０１上に接着剤により固定された輝尽性蛍光体層を有する蛍光体シート封止体１０２とを有している。１０２ａは輝尽性蛍光体層を有する蛍光体シートを示し、１０２ｂは蛍光体シート１０２ａの上面と下面とを封止する封止フィルムを示す。１０１ａは、平板１０１上の蛍光体シート封止体１０２を貼合する位置の鉛シート１０１ｄ（図２を参照）面に設けられた接着剤を示す。１０１ｂは平板１０１の鉛シート及び接着剤が設けられていない部分を示す。
【００１９】
図２は図１のＡ−Ａ′に沿った概略断面図である。
【００２０】
図中、１０１ｃは蛍光体シート封止体１０２を貼合する部分に鉛シート１０１ｄを貼合するための接着剤を示す。１０２ａ１は蛍光体シート１０２ａの輝尽性蛍光体層を示し、１０２ａ２は支持体を示す。他の符号は図１と同義である。
【００２１】
図３は、平板と蛍光体シート封止体とを貼合し、蛍光体パネルを作製するまでの概略工程フロー図である。
【００２２】
Ｓ１では、帯状可撓性支持体に、輝尽性蛍光体を分散した塗布液を塗布する。
【００２３】
Ｓ２では、可撓性支持体上に塗布された塗布膜が乾燥され輝尽性蛍光体層が形成される。
【００２４】
Ｓ３では、帯状輝尽性蛍光体が、必要とするサイズに断裁し、枚葉の輝尽性蛍光体シート（以下、蛍光体シートとも言う）になる。
【００２５】
Ｓ４では、蛍光体シートの上下面を防湿性フィルムにより被覆し、減圧条件で周囲を溶融接着し封止し、蛍光体シート封止体を作製する。
【００２６】
Ｓ５では、Ｓ４で作製した蛍光体シート封止体を平板に貼合する。この段階での貼合は蛍光体シート封止体の下面の防湿性フィルムと、平板の接着剤との間に空気層が部分的に存在する箇所が残り、未だ完全で無いため一次貼合と言う。
【００２７】
Ｓ６では、Ｓ５で貼合した状態の蛍光体シート封止体と平板との間に部分的に存在する空気層を取り除き、平面性を修正し、貼合を行い蛍光体パネルを作製する。この貼合を２次貼合と言う。
【００２８】
本発明は、Ｓ５の蛍光体シート封止体を平板に一次貼合する貼合装置と、この貼合装置を使用して平板と蛍光体シート封止体とを貼合する貼合方法に関するものであり、更に詳しくは、平板の寸法が変わっても平板を保持する保持手段を交換することなく、且つ蛍光体シート封止体の平面性を維持し平板に仮貼合する貼合装置とこの貼合装置を使用して平板と蛍光体シート封止体とを貼合する貼合方法に関するものである。
【００２９】
図４は、蛍光体シート封止体と前記平板とを貼合する貼合装置の概略斜視図である。
図中、２は蛍光体シート封止体１０２（図１を参照）と平板１０１（図１を参照）とを仮貼合する貼合装置を示す。貼合装置２は、蛍光体シート封止体１０２（図１を参照）を載置する載置台２０１と、平板１０１（図１を参照）を保持する第１枠体２０２と、第１枠体２０２を配設した第２枠体２０３と、第１枠体２０２に保持されている平板１０１（図１を参照）を押さえる押さえ手段の押さえ板２０４と、第２枠体２０３を蛍光体シート封止体１０２（図１を参照）に対して、第１枠体２０２に保持されている平板１０１（図１を参照）の平行状態を保持したまま接触／離反する方向（図中の矢印方向）に移動する移動手段２０５ａ〜２０５ｄとを有している。移動手段としては特には限定はないが、例えば空圧シリンダー、油圧シリンダー、チェーン、歯車等の機械手段等が挙げられる。
【００３０】
２０１ａは載置台２０１の蛍光体シート封止体載置面（以下、単に載置面ともいう）を示し、２０１ｂは載置面２０１ａの全面に複数設けられた蛍光体シート封止体１０２（図１を参照）の平面保持手段の吸引孔を示す。２０１ｃは吸引管を示し、吸引ポンプ（不図示）に繋がっている。２０１ｄは載置面２０１ｂの角部を形成する２つの縁辺部に設けられた位置規制部材を示す。蛍光体シート封止体１０２（図１を参照）の角部をこの位置規制部材に突き当て載置位置を決めた後、吸引ポンプ（不図示）を稼働させることで蛍光体シート封止体１０２（図１を参照）は吸引孔２０１ｂを介して吸引することにより載置面に平面性を保持した状態で固定される。
【００３１】
２０２ａ、２０２ｂは第１枠体２０２を構成している短辺側の縁辺部を示し、２０２ｃ、２０２ｄは第１枠体を構成している長辺側の縁辺部を示す。第１枠体２０２は縁辺部２０２ａ〜２０２ｄで構成された矩形の形状をしている。第１枠体２０２の形状は特に限定はなく、例えば正方形であってもかまわない。縁辺部２０２ｂと縁辺部２０２ｃが平板を保持するときの基準縁辺部となっている。縁辺部２０２ａ〜２０２ｄが一体であっても、別体であってもよく、本図では一体で作られている場合を示している。
【００３２】
基準縁辺部の縁辺部２０２ｂの下部には平板１０１（図１を参照）を保持する保持手段である保持部２０２ｂ３（図７を参照）を有している。同様に基準縁辺部の縁辺部２０２ｃの下部にも平板１０１（図１を参照）を保持する保持手段である保持部２０２ｃ２（図７を参照）を有している。縁辺部２０２ｂの保持部２０２ｂ３の側壁２０２ｂ３１（図７を参照）と縁辺部２０２ｃの保持部２０２ｃ２の側壁２０２ｃ２１（図７を参照）が平板１０１（図１を参照）を保持する際の基準位置となっている。
【００３３】
２０２ｅは第１枠体２０２に設けられた保持部材を示し、保持部材の両端は縁辺部２０２ｄに設けられた保持部材移動溝２０２ｄ１と縁辺部２０２ｃに設けられた保持部材移動溝２０２ｃ１とに取り外し可能に固定されている。
【００３４】
２０２ｆは第１枠体２０２に設けられた保持部材を示し、保持部材の両端は縁辺部２０２ａに設けられた保持部材移動溝２０２ａ１と縁辺部２０２ｂに設けられた保持部材移動溝２０２ｂ１とに取り外し可能に固定されている。
【００３５】
保持部材２０２ｅと保持部材２０２ｆとにより、平板１０１（図１を参照）の寸法が変更したとき、平板１０１（図１を参照）の寸法に合わせて保持部材２０２ｅと保持部材２０２ｆの位置をそれぞれの保持部材移動溝に沿って変えることで第１枠体２０２に平板１０１（図１を参照）を保持することが出来るため、第１枠体２０２を交換することなく対応が可能となった。
【００３６】
２０４ａは押さえ板２０４に設けられた押さえ部材を示し、押さえ板２０４は蝶番２０４ｂにより第２枠体２０３に開閉（図中の矢印方向）自在に取り付けられている。開閉手段としては特に限定はなく、例えばエアーシリンダーで機械的に行っても良いし、手動で閉めてもかまわない。但し、手動の場合、押さえ板は蛍光体シート封止体と貼合する間は開かない様に第１枠体２０３に固定することが好ましい。
【００３７】
２０５ｅは移動手段２０５ａ、２０５ｄの取り付け台を示し、２０５ｆは移動手段２０５ｂ、２０５ｃの取り付け台を示す。第２枠体２０３は四隅に設けた移動手段２０５ａ〜２０５ｄにより、第２枠体２０３を蛍光体シート封止体１０２（図１、図５を参照）に対して、第１枠体２０２に保持された平板１０１（図１、図５を参照）を平行状態を保持したまま接触／離反する方向（図中の矢印方向）に移動することが可能となっている。押さえ部材２０４ａは、ＪＩＳ  Ｋ  ６２５３に準じて測定したゴム硬度が３〜１５度を有していることが好ましく、例えばシリコン製の発泡ゴムが挙げられる。
【００３８】
図５は図４に示される貼合装置の載置台に蛍光体シート封止体と第１枠体に平板とを準備した状態を示す概略斜視図である。
【００３９】
平板１０１は第１枠体２０２の縁辺部２０２ｂの下部に設けられた保持部２０２ｂ３（図７を参照）と、縁辺部２０２ｃの下部に設けられた保持部２０２ｃ２（図７を参照）と、保持部材２０２ｅの下部に設けられた保持部２０２ｅ１（図６を参照）と、保持部材２０２ｆの下部に設けられた保持部２０２ｆ１（図６を参照）とにより第１枠体２０２に保持された状態になっている。
【００４０】
蛍光体シート封止体１０２は、載置台２０１の載置面２０１ａの２つの縁辺部に設けられた位置規制部材２０１ｄに蛍光体シート封止体１０２の２辺を突き当てた状態で載置面２０１ａ上に載置し、吸引孔２０１ｂを介して吸引することにより載置面に平面性を保持した状態で固定されている。他の符号は図１、図４と同義である。
【００４１】
図６は図４に示される第１枠体の拡大概略斜視図である。
【００４２】
図中、２０２ａ２は縁辺部２０２ａに設けられた第１枠体２０２に保持されている平板又は平板に蛍光体シート封止体を貼合した蛍光体パネルの取り出し及び第１枠体２０２に平板をセットするときに手を入れる切り欠け部を示す。２０２ｅ３は保持部材２０２ｅに設けられた第１枠体２０２に保持されている平板又は平板に蛍光体シート封止体を貼合した蛍光体パネルの取り出し及び第１枠体２０２に平板をセットするときに手を入れる切り欠け部を示す。２０２ｂ２は縁辺部２０２ｂに設けられた第１枠体に保持されている平板又は平板に蛍光体シート封止体を貼合した蛍光体パネルを取り出し及び第１枠体２０２に平板をセットするときに手を入れる切り欠け部を示す。
【００４３】
２０２ｅ２は保持部材２０２ｅの保持部に載せられた蛍光体シート封止体を基準位置となっている縁辺部２０２ｂの保持部２０２ｂ３（図７を参照）の側壁２０２ｂ３１（図７を参照）に押し付けるための押し付け部材を示す。２０２ｆ２は保持部材２０２ｆの保持部に載せられた蛍光体シート封止体を基準位置となっている縁辺部２０２ｃの保持部２０２ｃ２（図７を参照）の側壁２０２ｃ２１に押し付けるための押し付け部材を示す。押し付け部材の数は特に限定はなく、使用する平板の大きさにより適宜決めることが可能である。押し付け部材により平板を基準位置に押し付けることにより、安定した状態で第１枠体２０２に保持することが可能となっている。他の符号は図４と同義である。
【００４４】
図７は図５に示される平板を保持した状態の第１枠体の拡大概略図である。図７の（ａ）は図５に示される平板を保持した状態の第１枠体の拡大概略斜視図である。図７の（ｂ）は図７の（ａ）のＢ−Ｂ′に沿った概略断面図である。図７の（ｃ）は図７の（ａ）のＣ−Ｃ′に沿った概略断面図である。図７の（ｄ）は図７の（ｃ）のＰで示される部分の拡大概略図である。
【００４５】
平板１０１は、接着剤１０１ａが設けられている面を下向きとして平板１０１の接着剤が設けられていない部分１０１ｂを縁辺部２０２ｂの保持部２０２ｂ３、縁辺部２０２ｃの保持部２０２ｃ２、保持部材２０２ｅの保持部２０２ｅ１、保持部材２０２ｆの保持部２０２ｆ１に載置し、保持部材２０２ｆに設けられた二つの押し付け部材２０２ｆ２（図６を参照）により保持部２０２ｃ２の基準位置の側壁２０２ｃ２１に、又、保持部材２０２ｅに設けられた押し付け部材２０２ｅ２（図６を参照）により保持部２０２ｂ３の基準位置の側壁２０２ｂ３１に押し付けられた状態で第１枠体２０２に保持されている。第１枠体２０２に保持されている平板１０１は、接着剤が設けられている部分１０１ａが保持部２０２ｆ１の底面２０２ｆ３と同じか僅かに出ている状態となっている。Ｈは保持部２０２ｆ１の高さを示し、高さＨは使用する平板１０１に設けられている、接着剤、鉛シートの厚さにより変わるが、接着剤が設けられている部分１０１ａが保持部２０２ｆ１の底面２０２ｆ３と同じか僅かに出ている状態となる様に設計する必要がある。他の符号は図４と同義である。
【００４６】
図８は図６のＱで示される部分の拡大概略斜視図である。
【００４７】
図中、２０２ｄ２は保持部材移動溝２０２ｄ１に設けられた保持部材２０２ｅの固定用の孔を示し、使用する平板１０１の寸法変化に対応して保持部材２０２ｅを移動可能にするために使用する平板１０１の各種寸法に合わせて複数個が設けられている。他の保持部材移動溝２０２ａ１、２０２ｂ１、２０２ｃ１（図６を参照）にも同じように固定用の孔が設けられている。２０２ｅ４は保持部材２０２ｅの先端部に設けられた固定用の凸部を示し、凸部２０２ｅ４を孔２０２ｄ２に嵌入することで保持部材２０２ｅは縁辺部２０２ｄに固定される。保持部材２０２ｅの他の先端部にも同様な凸部が設けられており、同様にして縁辺部２０２ｃに固定される。保持部材２０２ｆ（図６を参照）も保持部材２０２ｅと同じようにして縁辺部２０２ｂと縁辺部２０２ａに固定されるようになっている。尚、保持部材の縁辺部への固定方法は特に限定はなく、例えば保持部材の上からねじで取り外し可能に固定しても良い。
【００４８】
図９は、図６のＲで示される部分の概略拡大斜視図である。
【００４９】
図中、２０２ｆ４は押し付け部材２０２ｆ２の取り付け部材を示し、２０２ｆ５は縁辺部２０２ｆへの取り付け軸を示し、２０２ｆ６は押し付け部材２０２ｆ２の付勢手段のバネを示す。バネにより押し付け部材２０２ｆ２は平板を基準位置の側壁２０２ｃ２１（図７を参照）に押し付ける方向に移動（図中の矢印方向）が可能となっている。
【００５０】
保持部材２０２ｅに設けられている押し付け部材２０２ｅ２も押し付け部材２０２ｆ２と同じ構成となっている。バネにより押し付け部材２０２ｅ２は平板を基準位置の側壁２０２ｂ３１（図７を参照）に押し付ける方向に移動（図中の矢印方向）が可能となっている。保持部材２０２ｅに設けられている保持部２０２ｅ１は、保持部材２０２ｆが平板の寸法に合わせて移動可能にするため及び保持部２０２ｅ１と保持部２０２ｆ１とを同一平面とするため、押し付け部材２０２ｅ２の設けられている場所の近傍にのみ配設されている。この様に保持部２０２ｅ１を配設することで図７に示す様に平板を水平に第１枠体に保持することが可能になっている。２０２ｆ７は保持部材２０２ｅの移動用の保持部材２０２ｆに設けられた切り欠け部を示す。
【００５１】
図１０は図７のＳで示される部分の拡大概略斜視図である。
【００５２】
本図は、接着剤が用意されていない部分１０１ｂを保持部材２０２ｆの保持部２０２ｆ１と、保持部材２０２ｅの保持部２０２ｅ１とに載置された平板１０１を、押し付け部材２０２ｅ２により基準位置の保持部２０２ｂ１（図７を参照）の側壁２０２ｂ１１（図７を参照）方向（図中の矢印方向）に押し付け、押し付け部材２０２ｆ２により基準位置の保持部２０２ｃ１（図７を参照）の側壁２０２ｃ１１（図７を参照）方向（図中の矢印方向）に押し付けている状態を示している。他の符号は図７、図９と同義である。
【００５３】
図１１は本発明の貼合装置により平板と蛍光体シート封止体との貼合の状態を示す概略図である。図１１の（ａ）は貼合装置の押さえ板を閉じ平板と蛍光体シート封止体との貼合の状態を示す概略斜視図である。図１１の（ｂ）は図１１の（ａ）のＤ−Ｄ′に沿った概略断面図である。
【００５４】
本図は、第１枠体２０２に接着剤が設けられた平板１０１が、接着剤が設けられている面を載置面２０１ａ側にして保持され、押さえ板２０４により固定された状態で、第２枠体２０３に配設されている移動手段２０５ａ〜２０５ｄにより、載置台２０１の載置面２０１ａに吸引され平面性を保ち載置されている蛍光体シート封止体と平板１０１の接着剤が用意されている部分と接触する位置まで第２枠体２０３が下げられた状態を示している。このとき、平板１０１は押さえ板２０４の押さえ部材２０４ａにより押さえられ平面性を保持しているため蛍光体シート封止体と全面に均等に貼合することが可能となっている。他の符号は図４と同義である。
【００５５】
以下に図４〜図１１に示される本発明の貼合装置を用いて平板と蛍光体シート封止体とを貼合する方法の概略を段階的に説明する。
【００５６】
Ｓｔｅｐ１：図１、図２に示される平板を、蛍光体シート封止体を貼合する側を下向きにして貼合装置の第１枠体に保持する。
【００５７】
Ｓｔｅｐ２：載置台の載置面の基準位置に合わせてに蛍光体シート封止体が載置され、吸引により平面性を保持した状態で載置面上に固定される。
【００５８】
Ｓｔｅｐ３：押さえ板が閉まり平板が第１枠体に平面性を保持した状態で固定される。押さえ板２０４は蛍光体シート封止体と貼合する間は開かない様にする必要がある。
【００５９】
Ｓｔｅｐ４：第２枠体に配設されている移動手段を稼働することで、第１枠体に保持されている平板の接着剤が設けられた面と蛍光体シート封止体とが接触する位置まで第２枠体が下降することで平板と蛍光体シート封止体との貼合が終了する。尚、第２枠体が下降し、蛍光体シート封止体と平板とが接触するとき、平板は押さえ板により押さえられているため位置が変わらないため、第２枠体の下降に伴う平板の押圧力により平板と蛍光体シート封止体との貼合が行われる。
【００６０】
図４〜図１１に示される本発明の貼合装置及びこの貼合装置を使用して平板と蛍光体シート封止体との貼合することにより次の効果が挙げられる。
【００６１】
１）従来と同じ品質を保ち、且つ平板の寸法が変わっても保持するための枠体を平板の寸法に合わせて交換ことがなく対応が可能であるため、工程稼働率の向上が可能となった。
【００６２】
２）平板の寸法に合わせて各種の枠体を用意することがなくなるため維持管理が容易になった。
【００６３】
本発明に係る第１枠体、第２枠体、載置台の材質は特に限定はなく、例えばニッケルクロームメッキ鋼材、アルミニウム、ステンレススチール等が挙げられる。
【００６４】
本発明に係る輝尽性蛍光体層を有する蛍光体シートを可撓性支持体に塗布液を塗布・乾燥して作製するのに、塗布液を塗布する方法としては通常の塗布手段、例えばドクターブレード、ロールコーター、ナイフコーター、コンマコーター、リップコーターなどを用いることができる。可撓性支持体としては、セルロースアセテートフィルム、ポリエステルフィルム、ポリエチレンテレフタレートフィルム、ポリアミドフィルム、ポリイミドフィルム、トリアセテートフィルム、ポリカーボネートフィルム等のプラスティックフィルム、アルミニウム箔、アルミニウム合金箔などの金属シート、一般紙及び例えば写真用原紙、コート紙、若しくはアート紙のような印刷用原紙、バライタ紙、レジンコート紙、ベルギー特許第７８４，６１５号明細書に記載されているようなポリサッカライド等でサイジングされた紙、二酸化チタンなどの顔料を含むピグメント紙、ポリビニールアルコールでサイジングした紙等の加工紙等が挙げられる。これらの中でも、加工し易さ、取り扱い性からラスティックフィルムが好ましい可撓性支持体として挙げられる。
【００６５】
また、これら可撓性支持体の厚さは、用いる可撓性支持体の材質等によって異なるが、一般的には８０〜１０００μｍであり、取り扱い上の点から、更に好ましくは８０〜５００μｍである。これらの支持体の表面は滑面であってもよいし、マット面としてもよい。
【００６６】
輝尽性蛍光体層としては、バインダーと輝尽性蛍光体粒子とから構成されている。輝尽性蛍光体層を形成している「輝尽性蛍光体」とは、最初の光または高エネルギー放射線が照射された後に、光的、熱的、機械的、科学的または電気的等の刺激（輝尽励起）により、最初の光または高エネルギー放射線の照射量に対応した輝尽発光を示す輝尽性蛍光体をいう。実用的な面からは、光刺激（輝尽励起）により輝尽発光を示す輝尽性蛍光体が好ましく、波長が５００ｎｍ以上、１μｍ以下の輝尽励起光によって輝尽発光を示す輝尽性蛍光体が好ましい。
【００６７】
輝尽性蛍光体層を構成する輝尽性蛍光体の具体例としては、例えば特開昭５５−１２１４５号、同５５−１６００７８号、同５６−７４１７５号、同５６−１１６７７７号、同５７−２３６７３号、同５７−２３６７５号、同５８−２０６６７８号、同５９−２７２８９号、同５９−２７９８０号、同５９−５６４７９号、同５９−５６４８０号等に記載の希土類元素賦活アルカリ土類金属弗化ハロゲン化物系蛍光体；特開昭５９−７５２００号、同６０−８４３８１号、同６０−１０６７５２号、同６０−１６６３７９号、同６０−２２１４８３号、同６０−２２８５９２号、同６０−２２８５９３号、同６１−２３６７９号、同６１−１２０８８２号、同６１−１２０８８３号、同６１−１２０８８５号、同６１−２３５４８６号、同６１−２３５４８７号等に記載の２価のユーロピウム賦活アルカリ土類金属弗化ハロゲン化物系蛍光体：特開昭５５−１２１４４号に記載の希土類元素賦活オキシハライド蛍光体：特開昭５８−６９２８１号に記載のセリウム賦活３価金属オキシハライド蛍光体：特開昭６０−７０４８４号に記載のビスマス賦活アルカリ金属ハロゲン化物蛍光体：特開昭６０−１４１７８３号、同６０−１５７１００号に記載の２価のユーロピウム賦活アルカリ土類金属ハロ燐酸塩蛍光体：特開昭６０−１５７０９９号に記載の２価のユーロピウム賦活アルカリ土類金属ハロほう酸塩蛍光体：特開昭６０−２１７３５４号に記載の２価のユーロピウム賦活アルカリ土類金属水素化ハロゲン化物蛍光体：特開昭６１−２１１７３号、同６１−２１１８２号に記載のセリウム賦活希土類複合ハロゲン化物蛍光体：特開昭６１−４０３９０号に記載のセリウム賦活希土類ハロ燐酸塩蛍光体：特開昭６０−７８１５１号に記載の２価のユーロピウム賦活ハロゲン化セリウム・ルビジウム蛍光体：特開昭６０−７８１５１号に記載の２価のユーロピウム賦活複合ハロゲン化物蛍光体等が挙げられる。
【００６８】
本発明に係る蛍光体シート封止体を作製するために輝尽性蛍光体層側に使用する封止フィルムとしては、輝尽性蛍光体シートの輝尽性蛍光体層を湿度から保護するため、特開平６−９５３０２号に記載されている如き、無機物蒸着層を少なくとも一層含んだ積層材料が防湿性の面からより好ましく用いられる。又支持体側に使用する封止フィルムと接触する最内層は熱溶融性の樹脂フィルムを積層する必要がある。これら無機物蒸着膜としては薄膜ハンドブックｐ８７９〜ｐ９０１（日本学術振興会）、真空技術ハンドブックｐ５０２〜ｐ５０９、ｐ６１２、ｐ８１０（日刊工業新聞社）、真空ハンドブック増訂版ｐ１３２〜ｐ１３４（ＵＬＶＡＣ  日本真空技術Ｋ．Ｋ）に記載されている如き無機膜があげられる。
【００６９】
例えば、Ｃｒ2Ｏ3、ＳｉxＯy（ｘ＝１、ｙ＝１．５〜２．０）、Ｔａ2Ｏ3、ＺｒＮ、ＳｉＣ、ＴｉＣ、ＰＳＧ、Ｓｉ3Ｎ4、単結晶Ｓｉ、アモルファスＳｉ、Ｗ、ＡＩ2Ｏ3等が用いられる。
【００７０】
無機物蒸着層を設ける基材として使用する熱可塑性樹脂フィルムとしてはエチレンテトラフルオロエチル共重合体（ＥＴＦＥ）、高密度ポリエチレン（ＨＤＰＥ）、２軸延伸ポリプロピレン（０ＰＰ）、ポリスチレン（ＰＳ）、ポリメチルメタクリレート（ＰＭＭＡ）、２軸延伸ナイロン６、ポリエチレンテレフタレート（ＰＥＴ）、ポリカーボネート（ＰＣ）、ポリイミド、ポリエーテルスチレン（ＰＥＳ）など一般の包装用フィルムに使用されているフィルム材料を使用する事が出来る。
【００７１】
無機物蒸着フィルムシートを介して積層する熱可塑性樹脂フィルムとしては一般の包装材料として使用されている高分子フィルム（例えば機能性包装材料の新展開株式会社東レリサーチセンター記載の高分子フィルム）である低密度ポリエチレン（ＬＤＰＥ）、高密度ポリエチレン（ＨＤＰＥ）、線状低密度ポリエチレン（ＬＬＤＰＥ）、中密度ポリエチレン、未延伸ポリプロピレン（ＣＰＰ）、延伸ポリプロピレン（ＯＰＰ）、延伸ナイロン（ＯＮｙ）、ポリエステル（ＰＥＴ）、セロハン、ポリビニルアルコール（ＰＶＡ）、延伸ビニロン（ＯＶ）、エチレン−酢酸ビニル共重合体（ＥＶＯＨ）、塩化ビニリデン（ＰＶＤＣ）等が使用できる。
【００７２】
又、これら熱可塑性樹脂フィルムは、必要に応じて異種フィルムと共押し出しで作った多層フィルム、延伸角度を変えて張り合わせて作った多層フィルム等も当然使用出来る。更に必要とする物性を得るために使用するフィルムの密度、分子量分布を組み合わせて作る事も当然可能である。最内層の熱可塑性樹脂フィルムとしては低密度ポリエチレン（ＬＤＰＥ）、線状低密度ポリエチレン（ＬＬＤＰＥ）及びメタロセン触媒を使用して製造した低密度ポリエチレン（ＬＤＰＥ）、線状低密度ポリエチレン（ＬＬＤＰＥ）、また、これらフィルムと高密度ポリエチレン（ＨＤＰＥ）フィルムの混合使用したフィルムが使用されている。支持体面側に使用するの封止フィルムは防湿性を高めることから、上述の無機物蒸層に代えてアルミ箔をラミネートした積層フィルムを用いることが好ましい。
【００７３】
上記積層フィルムの製造方法としては、無機物を蒸着したフィルムを介してフィルムを積層させる方法としては一般的に知られている各種の方法が用いられ、例えばウェットラミネート法、ドライラミネート法、ホットメルトラミネート法、押出しラミネート法、熱ラミネート法を利用して作る事が可能である。無機物を蒸着したフィルムを使用しない場合も同様な方法が当然使えるがこれらの他に使用材料によっては多層インフレーション方式により作ることが出来る。
【００７４】
本発明に係る平板に使用する材質としては例えば各種のガラス、高分子材料、金属等が用いられるが、例えば石英、ホウ珪酸ガラス、化学的強化ガラスなどの板ガラス、又、セルロースアセテートフィルム、ポリエステルフィルム、ポリエチレンテレフタレートフィルム、ポリアミドフィルム、ポリイミドフィルム、トリアセテートフィルム、ポリカーボネートフィルム等のプラスチックフィルム、アルミニウムシート、鉄シート、銅シート等の金属シート或いは該金属酸化物の被覆層を有する金属シートが好ましい。これら基材の表面は滑面であってもよいし、輝尽性蛍光体層との接着性を向上させる目的でマット面としてもよい。また、本発明においては、基材と輝尽性蛍光体層の接着性を向上させるために、必要に応じて基材の表面に予め接着層を設けてもよい。これら基材の厚みは用いる基材の材質等によって異なるが、一般的には８０〜２０００μｍであり、取り扱い上の観点から、更に好ましいのは８０〜１０００μｍである。アルミニウム（Ａｌ）、アルミニウム合金が挙げられる。アルミニウム合金としては、例えばＡｌ−Ｍｇ系合金、Ａｌ−マグネシウム（Ｍｇ）−ケイ素（Ｓｉ）系合金、Ａｌ−銅（Ｃｕ）系合金、Ａｌ−Ｓｉ系合金及びＡｌ−亜鉛（Ｚｎ）−Ｍｇ系合金等が挙げられる。
【図面の簡単な説明】
【００７５】
【図１】蛍光体パネルの概略分解斜視図である。
【図２】図１のＡ−Ａ′に沿った概略断面図である。
【図３】平板と蛍光体シート封止体とを貼合し、蛍光体パネルを作製するまでの概略工程フロー図である。
【図４】蛍光体シート封止体と前記平板とを貼合する貼合装置の概略斜視図である。
【図５】図２に示される貼合装置の載置台に蛍光体シート封止体と第１枠体に平板とを準備した状態を示す概略斜視図である。
【図６】図２に示される第１枠体の拡大概略斜視図である。
【図７】図５に示される平板を保持した状態の第１枠体の拡大概略図である。
【図８】図６のＱで示される部分の拡大概略斜視図である。
【図９】図６のＲで示される部分の概略拡大斜視図である。
【図１０】図７のＳで示される部分の拡大概略斜視図である。
【図１１】本発明の貼合装置により平板と蛍光体シート封止体との仮貼合の状態を示す概略斜視図である。
【符号の説明】
【００７６】
１  蛍光体パネル
１０１  平板
１０１ａ、１０１ｃ  接着剤
１０１ｄ  鉛シート
１０２  蛍光体シート封止体
２  貼合装置
２０１  載置台
２０１ａ  蛍光体シート封止体載置面（載置面）
２０２  第１枠体
２０２ａ〜２０２ｄ  縁辺部
２０２ａ１〜２０２ｄ１  保持部材移動溝
２０２ｅ、２０２ｆ  保持部材
２０２ｂ３、２０２ｃ２、２０２ｅ１、２０２ｆ１  押さえ部材
２０２ｅ２、２０２ｆ２  押し付け部材
２０３  第２枠体
２０４  押さえ板
２０４ａ  押さえ部材
２０５ａ〜２０５ｄ  移動手段
【図１】
2005164518.tif 000003
【図２】
2005164518.tif 000004
【図３】
2005164518.tif 000005
【図４】
2005164518.tif 000006
【図５】
2005164518.tif 000007
【図６】
2005164518.tif 000008
【図７】
2005164518.tif 000009
【図８】
2005164518.tif 000010
【図９】
2005164518.tif 000011
【図１０】
2005164518.tif 000012
【図１１】
2005164518.tif 000013